(57)【要約】【課題】  調理器本体の天面の適所に操作部を配置したものにおいて、簡単な構成にて操作部の誤操作による誤動作を防止する事を目的とするものである。【解決手段】  調理器本体の天面に被調理物を載置する天板を装着すると共に、この天板の下方に熱源を配置し、かつ天面の適所に熱源の火力等を設定入力する操作部を備え、制御手段により操作部等からの入力に基づいて熱源を制御することで被調理物を加熱するものにおいて、制御手段を、操作部からの入力操作が予め設定した所定時間以上継続した場合には、入力操作が行われる前の動作に復帰する様に構成したものである。【選択図】        図２
2006012439.tif 000002
【特許請求の範囲】
【請求項１】
調理器本体の天面に被調理物を載置する天板を装着すると共に、この天板の下方に熱源を配置し、かつ上記天面の適所に熱源の火力等を設定入力する操作部を備え、制御手段により上記操作部等からの入力に基づいて熱源を制御することで被調理物を加熱するものにおいて、上記制御手段を、上記操作部からの入力操作が予め設定した所定時間以上継続した場合には、入力操作が行われる前の動作に復帰する様に構成した事を特徴とする加熱調理器。
【請求項２】
調理器本体の天面に被調理物を載置する天板を装着すると共に、この天板の下方に熱源を配置し、かつ上記天面の適所に熱源の火力等を設定入力する操作部を備え、制御手段により上記操作部等からの入力に基づいて熱源を制御することで被調理物を加熱するものにおいて、上記制御手段を、上記操作部からの入力操作が予め設定した所定時間以上継続した場合には、上記入力操作を受け付けない様に構成した事を特徴とする加熱調理器。
【請求項３】
調理器本体の天面に被調理物を載置する天板を装着すると共に、この天板の下方に熱源を配置し、かつ上記天面の適所に熱源の火力等を設定入力する操作部を備え、制御手段により上記操作部等からの入力に基づいて熱源を制御することで被調理物を加熱するものにおいて、上記制御手段を、上記操作部からの入力操作が予め設定した所定時間以上継続した場合には、上記操作部からの入力操作を全て受け付けない様に構成した事を特徴とする加熱調理器。
【請求項４】
上記制御手段に音声機能を設けると共に、上記操作部からの入力操作が予め設定した所定時間以上継続した場合には、音声により注意メッセージを報知する様に構成した事を特徴とする、上記請求項１〜３に記載の加熱調理器。
【請求項５】
上記制御手段に人体の接近を検出する人体センサを設けると共に、この人体センサにより人体の接近を検出時には上記所定時間以上の入力操作を受け付ける様に構成した事を特徴とする、上記請求項１〜３に記載の加熱調理器。
【発明の詳細な説明】
【技術分野】
【０００１】
本発明は、調理器本体の天面に被調理物を載せて加熱する天板を備えると共に、天面の適所に操作部を配設した加熱調理器に関する。
【背景技術】
【０００２】
例えば電磁調理器等の加熱調理器で、器具本体の天面に耐熱ガラス製の天板を装着し、この天板の下に誘導加熱コイル等の熱源を配設し、天板のこれら熱源の上方に鍋等の被調理物を載せて加熱を行うものでは、例えば特許文献１に示される様に、トッププレートの手前等の器具本体の天面に操作部を配置したものがある。
【特許文献１】特開平１０−２１４６７７号公報
【発明の開示】
【発明が解決しようとする課題】
【０００３】
一方、上記特許文献１に示される構成では、トッププレート２２の表面に操作部を配置している為、該操作部に鍋等が接近すると誤操作を生じる恐れがあり、又、この誤操作を防止すべく、操作部と熱源との間に突起部３３，３４，３５を設けると、トッププレートの掃除が行い難いという問題がある。
【０００４】
そこで本発明は、調理器本体の天面に操作部を配置したものにおいて、操作部への被調理物等の接近による誤動作を防止する事を目的とするものである。
【課題を解決するための手段】
【０００５】
本発明の請求項１の構成は、調理器本体の天面に被調理物を載置する天板を装着すると共に、この天板の下方に熱源を配置し、かつ天面の適所に熱源の火力等を設定入力する操作部を備え、制御手段により操作部等からの入力に基づいて熱源を制御することで被調理物を加熱するものにおいて、制御手段を、操作部からの入力操作が予め設定した所定時間以上継続した場合には、入力操作が行われる前の動作に復帰する様に構成したものである。
【０００６】
本発明の請求項２の構成は、調理器本体の天面に被調理物を載置する天板を装着すると共に、この天板の下方に熱源を配置し、かつ天面の適所に熱源の火力等を設定入力する操作部を備え、制御手段により操作部等からの入力に基づいて熱源を制御することで被調理物を加熱するものにおいて、制御手段を、操作部からの入力操作が予め設定した所定時間以上継続した場合には入力操作を受け付けない様に構成したものである。
【０００７】
本発明の請求項３の構成は、調理器本体の天面に被調理物を載置する天板を装着すると共に、この天板の下方に熱源を配置し、かつ天面の適所に熱源の火力等を設定入力する操作部を備え、制御手段により操作部等からの入力に基づいて熱源を制御することで被調理物を加熱するものにおいて、制御手段を、操作部からの入力操作が予め設定した所定時間以上継続した場合には、操作部からの入力操作を全て受け付けない様に構成したものである。
【０００８】
本発明の請求項４の構成は、請求項１〜３の構成において、制御手段に音声機能を設けると共に、操作部からの入力操作が予め設定した所定時間以上継続した場合には音声により注意メッセージを報知する様に構成したものである。
【０００９】
本発明の請求項５の構成は、請求項１〜３の構成において、制御手段に人体の接近を検出する人体センサを設けると共に、この人体センサにより人体の接近を検出時には所定時間以上の入力操作を受け付ける様に構成したものである。
【発明の効果】
【００１０】
本発明の請求項１に記載の構成により、操作部からの入力操作が所定時間以上継続した場合には、入力操作が行われる前の動作に復帰させる様に構成したことで、操作部の周囲に被調理物等の接近を防止するガード部材を設けることなく、比較的簡単な構成にて、鍋やスプーン等の操作部への接近による誤動作を防止する事が出来るものである。
【００１１】
本発明の請求項２に記載の構成により、操作部からの入力操作が所定時間以上継続した場合には、入力操作を無効として受け付けない様に構成したことで、入力操作を報知するブザー等、全ての誤動作を防止する事が出来るものである。
【００１２】
本発明の請求項３に記載の構成により、入力操作が所定時間以上継続した場合には、それ以降の入力操作を全て受け付けない様に構成したことで、例えば猫等の動物の移動による誤動作を防止する事が出来るものである。
【００１３】
本発明の請求項４に記載の構成により、操作部からの入力操作が所定時間以上継続した場合には、音声により注意メッセージを報知する様に構成したことで、誤操作を迅速に報知し、誤操作による調理の中断等を極力防止する事が出来るものである。
【００１４】
本発明の請求項５に記載の構成により、人体センサにより人体の接近を検出時には、操作部からの所定時間以上の入力操作を受け付ける様に構成したことで、調理器本体の設置直後等操作に慣れない場合には、長めに操作してもその操作を受け付ける様に構成することで、使い勝手を良くする事が出来るものである。
【発明を実施するための最良の形態】
【００１５】
本発明による実施例を先ず図１に基づき説明すると、１は例えばシステムキッチン等にドロップイン方式にて組み込まれて使用される電磁調理器の調理器本体で、上面に透明で耐熱ガラス製の天板２を装着していると共に、この天板の下方内部に熱源となる左右一対の誘導加熱コイル３，４とラジエントヒータ５を内蔵している。
【００１６】
一方、上記電磁調理器本体１の前面右側には操作パネル６を配設していると共に、この操作パネルの左側にはグリル７用のグリル扉８を引き出し自在に配設し、かつ、上記操作パネル６には、シーソー式の電源スイッチ９、複数の操作キー１０・・やプッシュプッシュ式の操作摘み１１・・等を配設している。尚、上記操作摘み１１・・は、プッシュ操作により引き出すと誘導加熱コイル３，４やラジエントヒータ５、グリル７内の図示しないグリルヒータへの通電を開始し、押し込むと運転を停止し、引き出し位置で回転操作すると火力や調理時間、調理温度等を設定する様に構成している。
【００１７】
又、上記天板２の外周縁を天板枠１２により押圧固定していると共に、この天板枠の前端部には非接触式のタッチキーにて構成した操作部１３を配置し、かつ天板枠１２の後端部には左右一対の吸排気カバー１４，１４を着脱自在に装着している。
【００１８】
一方、上記操作部は、ガラス板１５の表面又は裏面に図２にても示す様に火力キー１６・・、湯沸しキー１７、揚げ物キー１８等のタッチ領域を印刷により配置し、これら各キーへの入力操作は、ガラス板１５の裏面に配置した後述の操作用回路基板により行い、この操作用回路基板にて、上記タッチ領域への指等の接触による静電容量の変化により入力操作を検出する様に構成している。
【００１９】
更に、上記天板２の上記誘導加熱コイル３，４間の手前部分の下方には、バックライト付きの液晶表示器等で構成した液晶表示器１９を配設し、この表示器にて設定火力や調理時間、調理温度等を表示する様に構成していると共に、鍋等の調理容器の設置位置を示す加熱枠２０，２０よりも外側の手前には、複数の色を発光するＬＥＤランプ等により構成した円弧状の加熱状態表示器２１，２１を配置している。
【００２０】
図３は上記誘導加熱コイル３，４等への通電を制御する回路ブロック図の一部を示すもので、商用の２００Ｖ電源３１にリレー接点３２を介して電源回路３３を接続すると共に、この電源回路の出力にマイクロコンピュータにて構成した主制御回路３４を接続し、かつ上記電源３１には上記電源スイッチ９を介して電圧検知回路３５を接続し、この電圧検知回路の出力を上記主制御回路３４の入力ポートに接続している。
【００２１】
又、上記リレー接点３２には入力電力検出回路３６を介してインバータ回路３７を接続し、かつこのインバータ回路の出力に上記誘導加熱コイル３，４と、このコイルへ供給される電流値を検出するコイル電流検出回路３８を接続し、上記入力電力検出回路３６の出力を主制御回路３４の入力ポートに接続している。
【００２２】
更に上記主制御回路３４の入力ポートには、上記操作パネル６の適所に装着した人体センサ３９の出力を、人体検知回路４０を介して接続していると共に、上記インバータ回路３４を構成する図示しない周知のＩＧＢＴの温度を検出する素子温度センサ４１，４１の出力を、温度センサ検出回路４２を介して接続し、かつ上記操作パネル６に配置した操作キー１０・・をキー検出回路４３を介して接続している。
【００２３】
そして上記主制御回路３４の出力ポートには、ヒータ駆動回路４４を介して上記ラジエントヒータ５や、グリル７内に配置した上下グリルヒータ４５，４５を接続すると共に、冷却ファン駆動回路４６を介して調理器本体１内に装着した冷却ファン４７を接続し、かつ上記リレー接点３２を作動するリレー駆動回路４８を接続している。
【００２４】
又、上記主制御回路３４の出力ポートには、LED駆動回路４９を介して上記操作パネル６に配置した操作キー１０・・のオン・オフ操作状態等を表示するLEDランプ５０・・を接続している。
【００２５】
５１は上記主制御回路３４の出力ポートに接続した音声駆動回路で、出力にスピーカ５２を接続し、主制御回路３４の出力に基づいて、操作用の音声メッセージや、誤操作並びに異常発生時の注意メッセージを報知するものである。
【００２６】
又上記主制御回路３４の入出力ポートには、各種データを記憶する不揮発性メモリにて構成したメモリ５３や通信回路５４を接続し、かつこの通信回路にはマイクロコンピュータにて構成した副制御回路６０を接続している。
【００２７】
そして上記副制御回路６０の入力ポートには、温度検出回路６１を介して誘導加熱コイル３，４の中央付近に配置した鍋底サーミスタ６２，６３を接続していると共に、出力ポートに上記液晶表示器１９や、ＬＥＤ駆動回路６４を介して上記加熱状態表示器２１，２１のＬＥＤランプ６５・・を接続している。
【００２８】
更に、上記副制御回路６０の入出力ポートには、キー検出用マイクロコンピュータ６６を介して上記操作部１３の火力キー１６・・、湯沸しキー１７、揚げ物キー１８等を接続し、これらキーへの指の接近による静電容量の変化にてこれらキーによる入力操作を検出する様に構成している。
【００２９】
而して、本発明の構成にて例えば右側の誘導加熱コイル４を使用して加熱調理を行う場合の動作を説明すると、天板２の誘導加熱コイル４の上方に鍋等の被調理物２２を載せた後電源スイッチ９をオン操作し、次いで操作パネル６の摘み１１ａをプュシュ操作して引き出した後、摘み１１ａを回転操作、又は操作部１３の火力キー１６・・にて火力を設定した後摘み１１ａを回転操作することで、これらの操作を主制御回路３４並びに副制御回路６０にて検出して誘導加熱コイル４への通電を開始して調理を開始する。
【００３０】
一方、上記操作部１３の火力キー１６・・、湯沸しキー１７、揚げ物キー１８等の所謂タッチキーの操作に際しては、例えば図４のフローチャートにて示す様に、Ｓ１で加熱を開始すると、Ｓ２にて加熱開始時の設定火力や調理時間、調理温度等の設定内容を主制御回路３４内のメモリやメモリ５３に記憶した後、Ｓ３に進んで操作部１３からのキー入力があるか否か検出し、無ければ待機し、有った場合にＳ４に進んで入力操作に応じた動作を行ってＳ５に進む。
【００３１】
次いで、Ｓ５にて上記Ｓ４にて操作されたキーのオン操作が所定時間（例えば５秒間）以上か否か判定し、以上の場合にはＳ６に進んでＳ２にて記憶した動作状態に戻すと共に、音声にて注意メッセージを報知し、所定時間未満であれば、Ｓ２に戻って動作を継続する。
【００３２】
これらの構成により、クリック感の無いタッチキーにおいて、操作部１３の上に物が置かれたり、動物が歩く等、何らかの理由により操作部１３のキーが所定時間以上オン操作された場合には、全ての動作をキー入力が行われる前の状態に戻す様に構成したことで、誤動作を確実に防止する事が出来るものである。
【００３３】
又、キー操作が所定時間以上継続した場合には音声にて注意メッセージを報知することで、誤操作や誤動作を使用者に迅速に知らせ、これにより、誤操作の原因を解除することで、調理の失敗等を防止する事が出来るものである。
【００３４】
図５は本発明の他の実施例を示すフローチャートで、Ｓ１１にて加熱を開始すると、Ｓ１２にて上記操作部１３からのキー入力があるか否か検出し、キー入力があった場合にはＳ１３に進んでキーのオン操作が所定時間以上継続しているか否か判定し、継続していなければＳ１４に進んでキー入力を受け付けて、入力に対応した制御動作を行った後、Ｓ１２に戻って加熱動作を継続する。
【００３５】
一方、上記Ｓ１３にてオン操作が所定時間以上継続している場合には、キー入力を受け付けないでＳ１５に進み、ブザーや音声にて警告や注意メッセージを報知した後、Ｓ１２に戻って加熱動作を継続する。
【００３６】
これらの構成により、キーのオン操作が所定時間以上継続した場合には、キー入力を受け付ないことで、キーの上や近くにスプーン等が置かれた場合等の、誤操作による誤動作を防止する事が出来るものである。
【００３７】
図６は本発明の他の実施例を示すもので、Ｓ２１にて加熱を開始すると、Ｓ２２にて操作部１３からのキー入力があるか否か検出し、キー入力があった場合にはＳ２３に進んでオン操作が所定時間以上か否か検出し、所定時間以上の場合にはＳ２５に進んで警告ブザーや音声によって警告を行う。一方、オン操作が所定時間未満の場合にはＳ２４に進んで入力されたキーに応じた動作を行った後、以降の動作を継続する。
【００３８】
これらの構成により、操作部１３よりキー入力が行われても、このキー操作が所定時間以上継続するかしないか検出し、継続しない場合に操作されたキーに対応した動作を行うことで、誤操作による誤動作を確実に防止する事が出来るものである。
【００３９】
図７は本発明の他の実施例を示すフローチャートで、Ｓ３１にて加熱を開始すると、Ｓ３２にて図４と同様に加熱開始時の設定をメモリに記憶した後、Ｓ３３にて操作部１３からのキー入力があるか否か判定し、有れば更にＳ３４に進んで人体センサ３９が人体を検出しているか否か判定し、人体を検出時にはＳ３５に進んで、キー入力に対応した加熱動作を行う。
【００４０】
これらの構成により、人体センサ３９によって人体の接近を検出している時には、操作部１３からのキー入力を全て受け付ける様に構成したことで、キー操作に慣れない等の理由により、キーが所定時間以上オン操作されてもキー入力を受け付けることで、使い勝手を向上出来るものである。尚、この実施例では全てのキー入力を受け付ける様に構成しているが、キーの操作時間を段階的に設定し、上記所定時間よりも長い第２の所定時間（例えば１０秒間）を設定し、この第２の所定時間入力操作が継続する場合にはブザーや音声にて警告を行う様に構成しても良い。
【図面の簡単な説明】
【００４１】
【図１】本発明による実施例を示す斜視図である。
【図２】同じく要部の実施例を示す平面図である。
【図３】同じく制御部の実施例を示すブロック図である。
【図４】同じく要部の動作の実施例を示すフローチャートである。
【図５】同じく要部の動作の他の実施例を示すフローチャートである。
【図６】同じく要部の動作の他の実施例を示すフローチャートである。
【図７】同じく要部の動作の他の実施例を示すフローチャートである。
【符号の説明】
【００４２】
１    調理器本体
２    天板
３    誘導加熱コイル（熱源）
４    誘導加熱コイル（熱源）
１３  操作部
２２  被調理物
３４  主制御回路（制御手段）
３９  人体センサ
６０  副制御回路（制御手段）
【図１】
2006012439.tif 000003
【図２】
2006012439.tif 000004
【図３】
2006012439.tif 000005
【図４】
2006012439.tif 000006
【図５】
2006012439.tif 000007
【図６】
2006012439.tif 000008
【図７】
2006012439.tif 000009